(57)【特許請求の範囲】
【請求項１】
照明システムのための制御モジュールであって、前記照明システムが、少なくとも２つの平行電極を備えるベースモジュールと、前記電極と結合される少なくとも１つの照明モジュールとを有し、前記制御モジュールが、
前記少なくとも１つの照明モジュールの少なくとも１つのパラメータを制御するよう適合させられる制御器と、
前記制御モジュールを前記照明システムの前記電極と係合する状態で着脱可能に保持するよう適合させられる保持部材とを有し、前記制御モジュールが、前記制御モジュールの動作のためのエネルギを前記電極を介して受け取るよう適合させられる制御モジュール。
【請求項２】
前記電極と電気的に相互に作用するよう適合させられる少なくとも２つの電極コネクタ素子によって特徴づけられる請求項１の制御モジュール。
【請求項３】
前記保持部材が、前記制御モジュールを前記ベースモジュールに取り付けるよう適合させられる少なくとも１つの磁石を有することを特徴とする請求項１又は２の制御モジュール。
【請求項４】
前記保持部材が、少なくとも１つの保持クランプを有することを特徴とする請求項１又は２の制御モジュール。
【請求項５】
前記保持部材が、少なくとも１つのネジ接続部を有することを特徴とする請求項１又は２の制御モジュール。
【請求項６】
前記ベースモジュールに設けられる対応部材と係合するよう適合させられる位置決め部材によって特徴づけられる請求項１乃至５のいずれか一項の制御モジュール。
【請求項７】
前記制御モジュールが、前記照明モジュールを制御するための制御信号を前記電極を介して送るよう適合させられることを特徴とする請求項１乃至６のいずれか一項の制御モジュール。
【請求項８】
前記照明システムが、２つのエネルギ供給電極と、１つのデータ電極とを有し、前記制御器が、前記制御器の動作のためのエネルギを前記エネルギ供給電極を介して受け取り、制御信号を前記データ電極を介して送るよう適合させられることを特徴とする請求項１乃至６のいずれか一項の制御モジュール。
【請求項９】
前記パラメータを手動で調節するための制御素子が設けられることを特徴とする請求項１乃至８のいずれか一項の制御モジュール。
【請求項１０】
前記制御素子が、前記少なくとも１つの照明モジュールの明るさ及び／又は色を調節するための回転スイッチであることを特徴とする請求項９の制御モジュール。
【請求項１１】
前記供給電圧及び／又は電流を異なる電圧／電流に変換するためのコンバータによって特徴づけられる請求項１乃至１０のいずれか一項の制御モジュール。
【請求項１２】
ベースモジュールであって、基板と、前記基板上の少なくとも２つの平行電極とを持つベースモジュール、
少なくとも１つの照明モジュールであって、照明素子と、少なくとも２つの電極コネクタ素子と、前記電極コネクタ素子が前記電極と電気的接触するように前記基板において前記照明モジュールを着脱可能に保持するよう適合させられる保持部材とを持つ少なくとも１つの照明モジュール、及び
請求項１乃至１１のいずれか一項に記載の制御モジュールを有する照明システム。
【請求項１３】
前記基板がプリント回路基板であり、前記電極が回路基板導体線であることを特徴とする請求項１２の照明システム。
【請求項１４】
３つの平行電極であって、前記３つの平行電極のうちの２つが供給ラインとしての役割を果たし、前記３つの平行電極のうちの１つがデータ回線としての役割を果たす３つの平行電極が設けられることを特徴とする請求項１２又は１３の照明システム。
【請求項１５】
前記基板が、制御又は照明モジュールの保持部材の磁石と相互に作用する磁気材料を担持する領域を有することを特徴とする請求項１２乃至１４のいずれか一項の照明システム。
【請求項１６】
前記基板が、前記制御又は照明モジュールの位置決め部材と相互に作用するよう適合させられる位置決め素子を持つことを特徴とする請求項１２乃至１５のいずれか一項の照明システム。
【請求項１７】
前記照明モジュールが、前記制御モジュールによって送られたパラメータを記憶するためのメモリ素子を有することを特徴とする請求項１２乃至１６のいずれか一項の照明システム。
【請求項１８】
請求項１２乃至１７に記載の照明システムのための照明モジュールであって、
フレームと、
少なくとも１つの照明素子と、
前記ベースモジュールの前記電極と接続可能であるよう適合させられる少なくとも２つの電極コネクタ素子と、
前記ベースモジュールにおいて前記照明モジュールを着脱可能に保持するよう適合させられる保持部材と、
請求項１乃至１１に記載の制御モジュールから受け取ったパラメータに依存して前記照明素子を制御するための制御器とを有する照明モジュール。
【請求項１９】
前記制御器が、前記制御モジュールから受け取った前記パラメータを記憶するためのメモリ素子を有することを特徴とする請求項１８の照明モジュール。
【請求項２０】
前記照明素子が、有機発光ダイオードを有することを特徴とする請求項１８又は１９の照明モジュール。
【請求項２１】
前記供給電圧及び／又は電流を異なる電圧又は電流に変換するためのコンバータによって特徴づけられる請求項１８乃至２０のいずれか一項の照明モジュール。
【請求項２２】
アドレスメモリに記憶されるアドレスに対応するデータを受け取る手段を持つアドレス指定可能な制御器によって特徴づけられる請求項１８乃至２１のいずれか一項の照明モジュール。
【発明の詳細な説明】
【技術分野】
【０００１】
本発明は、少なくとも２つの平行電極を備えるベースモジュールと、前記電極と結合される少なくとも１つの照明モジュールとを有する照明システムのための制御モジュールに関する。本発明は、照明システム、及び照明システムのための照明モジュールにも関する。
【背景技術】
【０００２】
照明システム、例えば、ＬＥＤ又はハロゲンランプを備える照明システムは、一般に知られている。例えば、ランプが取り付けられ、供給電圧を供給されるケーブル又はロッドの形態の、細長い平行に延在する電極を用いることも知られている。オン及びオフに切り換える、又はこのような照明システムの明るさを調節するための制御素子は、多くの場合、全ランプにとって中心的なものであり、多くの場合、システムから遠く離れた固定された場所にある。一般に、中央制御素子は、隠され、それ故、容易にはユーザの手が届かない。各照明素子に制御ユニットを備えることは、照明素子のグループが同じ特性、例えば、明るさ及び／又は色を持つべきである場合に、その使用を難しくする。
【０００３】
このような照明システムは、使用するのに便利であるが、依然として、システム、とりわけ、上述の不利な点を改善することが望まれている。
【発明の概要】
【発明が解決しようとする課題】
【０００４】
それ故、本発明の目的は、とりわけ使い勝手及びコストに関して、上記のように照明システムを改善することである。
【課題を解決するための手段】
【０００５】
この目的は、請求項１２において規定されているような照明システム、請求項１において規定されているような制御モジュール、及び請求項１８において規定されているような照明モジュールによって解決される。
【０００６】
上記のような制御モジュールは、少なくとも１つの照明モジュールの少なくとも１つのパラメータを制御するよう適合させられる制御器と、前記制御モジュールを前記照明システムの前記電極と係合する状態で着脱可能に保持するよう適合させられる保持部材とを有する。
【０００７】
換言すれば、前記照明モジュールの明るさを調節する役割を果たす前記制御モジュールは、例えば、固定された場所に設けられず、その代わりに、保持部材を介して、容易に、照明システムのベースモジュールに取り付けられることができ、且つ照明システムのベースモジュールから取り外されることができる可搬ユニットである。
【０００８】
本発明の制御モジュールは、例えば、幾つかの照明システムのためにそれを用いることを可能にする、したがって、単一の照明システムに固定的には結合されない。詳細には、本発明の制御モジュールでは、第１照明システムのベースモジュールにそれを取り付けて、例えば、この照明システムの照明モジュールの明るさを調節することが可能であろう。その後、前記制御モジュールは、取り外され、例えば、第２照明システムのベースモジュールに取り付けられて、例えば、関連する照明モジュールの色を調節することができる。
【０００９】
本発明の制御モジュールが、とりわけ使用法及びコストに関して、既知のシステムに勝る幾つかの利点を達成することは、明らかである。更に、前記制御モジュールを容易に取り外すことが可能であることは、デザインが前記制御モジュールの影響を受けないという利点を持つ。
【００１０】
好ましい実施例においては、前記電極と電気的に相互に作用するよう適合させられる少なくとも２つの電極コネクタ素子が設けられる。
【００１１】
これは、換言すれば、前記ベースモジュールの前記電極との電気接続を供給する役割を果たす前記制御モジュールの電極が、コネクタ素子として、好ましくは平坦な２次元素子として設けられることを意味する。平坦な電極のデザインが、実際には有利であることが分かった。しかしながら、前記制御モジュールの前記電極は、前記制御モジュールと前記ベースモジュールとの間の信頼性が高い電気的接触が達成されることが確実にされる限り、様々に（例えばピンとして）形成され得ることに注意されたい。
【００１２】
好ましい実施例においては、前記保持部材は、前記制御モジュールを前記ベースモジュールに取り付けるよう適合させられる少なくとも１つの磁石を有する。
【００１３】
この方策は、前記保持部材は用いるのが非常に容易であるという利点を持つ。ユーザは、いかなる保持素子も動かさずに、前記照明システムの前記ベースモジュールの上に前記制御モジュールを置くだけでいい。
【００１４】
しかしながら、前記保持部材も様々に設けられ得ることに注意されたい。例えば、前記保持部材は、少なくとも１つの保持クランプ又は例えば少なくとも１つのネジ接続部を有してもよい。いずれの場合においても、前記ユーザは、前記制御モジュールを前記ベースモジュール上に置かなければならず、次いで、前記ベースモジュールに前記制御モジュールを取り付けるために、前記保持クランプ又は前記ネジを動かさなければならない。
【００１５】
好ましい実施例においては、前記ベースモジュールに設けられる対応部材と係合するよう適合させられる位置決め部材が設けられる。
【００１６】
これは、換言すれば、前記制御モジュール及び前記ベースモジュールが、両方のモジュールを互いに位置合わせする役割を果たす素子を担持することを意味する。この方策は、前記制御モジュールの前記電極コネクタ素子が前記ベースモジュールの前記電極と電気的接触するように、前記制御モジュールが適切な位置において前記ベースモジュールに保持されることが確実にされるという利点を持つ。
【００１７】
他の好ましい実施例においては、前記制御器は、前記ベースモジュールの前記電極を介してその動作のためのエネルギを受け取り、前記電極を介して照明モジュールを制御するための制御信号を送るよう適合させられる。
【００１８】
これは、換言すれば、前記制御信号が、エネルギを供給するためにも用いられる電極を通じて送られることを意味する。前記制御信号は、供給ラインを通じた伝送のために例えば変調される。供給ラインを通じて信号を送る他の方法も、知られており、当然、用いられ得る。
【００１９】
この方策の利点は、２つの電極しか設けられる必要がなく、故に、前記ベースモジュールが、非常に小さく、ほぼ見えないようにデザインされ得ることである。
【００２０】
他の好ましい実施例においては、前記照明システムは、２つのエネルギ供給電極と、１つのデータ電極とを有し、前記制御器は、前記エネルギ供給電極を介して動作のためのエネルギを受け取り、前記データ電極を介して制御信号を送るよう適合させられる。
【００２１】
前述の解決策とは対照的に、単に前記制御信号を送るためだけに用いられる他の電極が設けられる。したがって、例えば、前述の解決策の場合にそうであるように前記制御信号を前記供給電圧と区別するために前記制御信号を変調する必要はない。したがって、この実施例は、前記制御モジュール及び前記照明モジュール内の回路を減らすが、１つの付加的な電極を必要とする。
【００２２】
好ましい実施例においては、前記パラメータを手動で調節するための制御素子が設けられる。好ましくは、前記制御素子は、前記少なくとも１つの照明モジュールの明るさ及び／又は色を調節するための回転スイッチである。
【００２３】
これは、換言すれば、前記制御モジュールが、前記照明モジュールのパラメータを調節するために必要な全てのパーツを担持することを意味する。したがって、用いるのが容易であり、扱うのが容易である。
【００２４】
他の好ましい実施例においては、前記制御モジュールは、前記供給電圧及び／又は電流を異なる電圧／電流に変換するためのコンバータを有する。
【００２５】
この方策は、前記制御モジュールとは無関係に電源が選択され得ることから、前記システム全体の柔軟性が高められ得るという利点を持つ。
【００２６】
本発明の目的は、ベースモジュールであって、基板と、前記基板上の少なくとも２つの平行電極とを持つベースモジュール、少なくとも１つの照明モジュールであって、照明素子と、少なくとも２つの電極コネクタ素子と、前記電極コネクタ素子が前記電極と電気的接触するように前記基板において前記照明モジュールを着脱可能に保持するよう適合させられる保持部材とを持つ少なくとも１つの照明モジュール、及び上記のような制御モジュールを有する照明システムによっても解決される。
【００２７】
この照明システムの利点は、上で既に記載しており、故に、再び繰り返す必要はない。
【００２８】
この明細書との関連においては「平行電極」という表現は、前記電極が互いの間に常に同じ距離を持つことを意味することに注意されたい。したがって、「平行電極」は、前記電極が同心円として又は曲線としてデザインされ得ることも意味する。前記電極が直線として設計される必要はない。
【００２９】
好ましい実施例においては、前記基板はプリント回路基板であり、前記電極は回路基板導体線である。
【００３０】
この方策は、製造コストの削減をもたらす。
【００３１】
他の好ましい実施例においては、３つの平行電極であって、前記３つの平行電極のうちの２つが供給ラインとしての役割を果たし、前記３つの平行電極のうちの１つがデータ回線としての役割を果たす３つの平行電極が設けられる。
【００３２】
この方策の利点は、上で既に記載されている。
【００３３】
好ましい実施例においては、前記基板は、制御又は照明モジュールの保持部材の磁石と相互に作用する磁気材料を担持する領域を有する。
【００３４】
この方策は、前記ベースモジュールと前記制御又は照明モジュールとの間の保持機能が非常に容易に達成されるという利点を持つ。更に、前記ベースモジュールにおける前記制御又は照明モジュールの位置は、任意に選択され得る。換言すれば、前記制御又は照明モジュールは、前記ベースモジュール上に自由に配置され得る。
【００３５】
好ましい実施例においては、前記基板は、前記制御又は照明モジュールの位置決め部材と相互に作用するよう適合させられる位置決め素子を持つ。
【００３６】
この方策は、前記制御又は照明モジュールの前記電極コネクタ素子と前記ベースモジュールの前記電極との間の適切な電気的接触が達成されるという利点を持つ。前記位置決め素子及び部材は、前記制御又は照明モジュールを、少なくとも前記ベースモジュールの前記電極の延長部に対して垂直な方向に調節する役割を果たす。
【００３７】
他の好ましい実施例においては、前記照明モジュールは、前記制御モジュールによって送られたパラメータを記憶するためのメモリ素子を有する。
【００３８】
この方策は、前記制御モジュールが取り外されたときでも、前記照明モジュールが所望のパラメータで動作させられ得るという利点を持つ。前記制御モジュールによって予め送られた前記所望のパラメータは、前記メモリ素子に記憶され、前記照明モジュールの各々の制御器によって用いられ得る。
【００３９】
本発明との関連においては「メモリ素子」は、照明モジュールのアドレス指定を行うために必要なアドレスを記憶するよう適合させられるあらゆるタイプの装置を意味することに注意されたい。前記メモリ素子は、例えば、ＥＰＲＯＭ、又はＥＥＰＲＯＭ、又はマイクロコントローラの内部メモリセル、又は当業界においては一般に知られている他のあらゆるタイプの書き込み可能な／書き込み可能ではないメモリの形態で設けられ得る。更に、ディップスイッチなどのようなスイッチも、アドレス値を記憶するために使用可能であり、それ故、「メモリ素子」とみなされ得る。
【００４０】
本発明の目的は、上記で規定されているような照明システムのための照明モジュールであって、フレームと、少なくとも１つの照明素子と、前記ベースモジュールの前記電極と接続可能であるよう適合させられる少なくとも２つの電極コネクタ素子と、前記ベースモジュールにおいて前記照明モジュールを着脱可能に保持するよう適合させられる保持部材と、上記で規定されているような制御モジュールから受け取ったパラメータに依存して前記照明素子を制御するための制御器とを有する照明モジュールによっても解決される。
【００４１】
このような照明モジュールの利点は、上記のものと同じである。故に、同じことを繰り返すのは控える。
【００４２】
他の特徴及び利点は、以下の説明及び同封の図面から理解され得る。
【００４３】
上記の特徴及び以下でこれから説明する特徴が、示されている各々の組み合わせにおいて用いられ得るだけでなく、本発明の範囲を出ずに、他の組み合わせにおいても、又は分離しても用いられ得ることは、理解されたい。
【００４４】
本発明の実施例を、図面に示し、下記の説明において図面を参照してより詳細に説明する。
【図面の簡単な説明】
【００４５】
【図１】本発明による照明システム及び単一の照明モジュールの概略的なブロック図である。
【図２】照明モジュール及び制御モジュール及び照明システム全体の構成要素を示している概略的なブロック図である。
【図３】２つの電極を備える照明システムの概略図である。
【図４】各々複数の電極セクションに分けられる２つの電極を持つ照明システムの概略図である。
【図５】円形又はリング状の電極を備える照明システムの概略的なブロック図である。
【図６】照明システムを形成する縦続接続されたベースモジュールの概略的なブロック図である。
【図７】５つの電極を持つ照明システムの概略的なブロック図である。
【図８】３つの電極を備える照明システムの概略的なブロック図である。
【図９】制御又は照明モジュールをベースモジュールに取り付けるための保持部材の３つの異なる例を示す。
【発明を実施するための形態】
【００４６】
図１においては、照明システムが、その主要なパーツと共に、概略的に示されており、参照符号１０で示されている。照明システムは、一般に、光を放射する役割を果たし、例えば、部屋などを照明する役割を果たす。
【００４７】
照明システム１０は、ベースモジュール１１と、１つ以上の照明モジュール２０と、制御モジュール３０とを有する。
【００４８】
ベースモジュール１１は、基板１２、例えばプリント回路基板１３と、少なくとも２つ、好ましくは３つの電極１６．１乃至１６．３とを有する。図１に示されている例においては、電極１６．１乃至１６．３は、互いに平行に、まっすぐに延在するプリント回路基板導体線１７である。本発明との関連においては、「平行」は、電極１６が、それらの間の距離がそれらの全長にわたって変わらないようにして配置されることを意味する。しかしながら、平行は、電極が直線に沿って延在しなければならないことを意味しない。電極は、後述するように、同心円又はリングとしても設けられ得る。
【００４９】
電極のうちの２つ１６．１、１６．２は、電力を供給するために用いられ、第３電極１６．３は、データ回線として用いられる。ベースモジュール、特に基板１２の長さは、照明システムの特定の用途に依存して自由に選択され得る。
【００５０】
照明モジュール２０は、少なくとも１つの照明素子４２が設けられる基板を支持する例えば矩形デザインのフレーム２１を有する。照明素子４２は、本実施例のような有機発光ダイオード（ＯＬＥＤ）、又は発光ダイオード、ハロゲンランプなどのような他のあらゆる電気駆動照明素子であり得る。
【００５１】
照明素子４２は、フレーム２１の前面２２に設けられ、背面２４は、少なくとも２つ、好ましくは３つの電極コネクタ素子２６．１乃至２６．３を担持する。電極コネクタ素子は、用途に依存して、例えば、平坦な電極パッド又はコネクタピンとして設けられる。電極コネクタ素子２６は、とりわけ、それらの空間位置及びそれらの大きさに関して、電極１６に適合させられなければならない。電極コネクタ素子２６は、基板１２に適切に配置されるとき、各々の電極１６と接触しなければならない。
【００５２】
照明モジュール２０は、照明モジュール２０を基板１２に取り付け、保持するように基板１２と係合するよう設計される保持部材２８も有する。
【００５３】
制御モジュール３０は、照明モジュール２０の背面と同様である背面を持つ。このことは、制御モジュール３０は、電極コネクタ素子と、保持部材２８とを有することを意味する。制御モジュール３０の前面は、ユーザによって手動で操作され得る回転スイッチを支持する。
【００５４】
動作中、ベースモジュール１１の電極１６．１及び１６．２には、供給電圧が供給され、前記供給電圧は、電極コネクタ素子２６．１及び２６．２を介して、制御及び照明モジュール３０、２０によって受け取られる。供給電圧は、照明モジュール２０の照明素子と、制御モジュール３０の制御回路とに電力を供給するのに用いられる。
【００５５】
制御モジュール３０は、回転スイッチ３４の操作に依存して、第３電極１６．３を介して、パラメータ信号を送り、前記パラメータ信号は、照明モジュール２０によって受け取られる、照明素子を所望のパラメータに従って調節するのに用いられる。照明素子の明るさ及び色が、このようなパラメータであり得る。
【００５６】
したがって、ベースモジュール１１に取り付けられる制御モジュール３０は、同様にベースモジュール１１に取り付けられる照明モジュール２０を制御することを可能にする。
【００５７】
照明モジュール及び制御モジュールは、第一に、図１において矢印によって示されているように、（電極１６と平行に走る）基板１２の長さに沿って自由に移動可能であり、第２に、保持部材２８を操作することよって、基板から自由に取り外し可能である。
【００５８】
したがって、前記照明システムは、照明モジュールの位置に関して非常に融通がきき、同様に、基板の長さに沿った任意の位置において基板１２に取り付けられ得る制御モジュール３０を用いることにより、制御するのが容易である。
【００５９】
上記ですでに述べたように、制御モジュールは、所望の照明パラメータ（明るさ及び／又は色）を表す制御信号を生成し、電極１６．３を介して送る。この制御信号は、基板１２に取り付けられるどの照明モジュール２０によって受け取られてもよく、それに応じて照明素子を調節するために用いられてもよい。
【００６０】
図２においては、照明システム１０の構成要素、並びに照明モジュール及び制御モジュールの主要な回路素子の概略的なブロック図が示されている。しかしながら、これらのブロック図は、主要回路部しか示しておらず、記載されている機能を達成するのに必要な全ての回路を示してはいないことに注意されたい。当業者は、前述の機能を達成するためにはどのように回路を設計すべきかを知っている。
【００６１】
図２に示されているような照明システム１０は、制御モジュール３０と、幾つかの照明モジュール２０．１乃至２０．ｎとを接続する少なくとも３つの電極１６を有する。供給電圧電極１６．１、１６．２は、電源ユニット４０に電気的に結合される。前記電源ユニット４０は、照明システム１０の一部であってもよく、又は外部ユニットであってもよい。電源ユニット４０は、例えば１２Ｖの出力電圧を持つＡＣ／ＤＣコンバータであってもよい。しかしながら、用途に応じて他の電圧も考えられ得る。
【００６２】
照明モジュール２０は、３つの電極コネクタ素子２６を有し、前記電極コネクタ素子２６のうちの２つは、電源コンバータ／制御回路４４に電気的に結合される。この回路４４は、照明素子４２に電力を供給し、前記照明素子４２は、有機発光ダイオード（ＯＬＥＤ）４３として設けられ得る。
【００６３】
更に、照明モジュール２０は、制御モジュール３０によって送られた少なくとも１つのパラメータ値を記憶するためのメモリ４６を有する。オプションとして、アドレスデータを記憶するための他のメモリ４７が設けられてもよい。後述するように、このメモリは、制御モジュールを介して個々の照明モジュールのアドレス指定を行う可能性を開く。
【００６４】
上記ですでに述べたように、メモリ４７は、ＥＰＲＯＭ、ＥＥＰＲＯＭなどのような電子的なメモリの形態で設けられてもよく、又はディップスイッチなどのような機械的なメモリの形態で設けられてもよい。
【００６５】
制御モジュール３０は、電極コネクタ素子３６に電気的に結合される制御回路３２を有する。更に、制御モジュール３０は、制御素子３４を持ち、前記制御素子３４は、例えば、回転スイッチ３５である。
【００６６】
制御回路３２は、電力供給電極１６．１、１６．２を介して電力を供給され、ユーザにより回転スイッチ３５を操作することによって与えられる明るさ又は色の値を表すパラメータを搬送する制御信号を生成する。この制御信号は、第３電極１６．３を介して送られ、照明モジュール２０の制御回路４４によって受け取られる。更に、送られたパラメータ値は、メモリ４６に記憶される。制御モジュール３０は、明るさ又は色のパラメータの他に、照明モジュール２０に対する、オン又はオフに切り換えよという命令を表す信号も送り得る。
【００６７】
上記ですでに述べたように、照明モジュール２０及び制御モジュール３０は、図１において示されている矢印によって示されているように、基板１２の長さに沿って直進運動をすることができる。したがって、照明モジュール及び制御モジュール３０は、ほぼ自由に配置可能であり、制御モジュール３０が、ユーザによる操作素子３４の便利な操作を可能にする位置に配置され得るという利点を持つ。
【００６８】
上記ですでに述べたように、好ましい実施例においては、照明モジュールは、個々の照明モジュールに制御信号を送ることを可能にするアドレスメモリ４７を有してもよい。各照明モジュール２０は、アドレスメモリ４７に記憶される、自動的に又は手動で設定される各照明モジュール２０自身のアドレスを持つ。アドレスは、各モジュール２０に特有のものであり、個々の照明モジュールの互いに独立した独立制御を可能にする。アドレスは、製造業者によって予め設定され、照明システムのユーザによって変更され得る。アドレスはまた、制御器によって独立して制御され得る照明モジュールのグループを構築するのに用いられ得る。グループは、１つ以上の照明モジュール２０を有する。
【００６９】
制御データのための通信プロトコルは、照明モジュール２０と、制御モジュール３０との間の通信を確実にする。このような種類の通信プロトコルは、標準的なもの、例えばDALI; DMX、又は専用のものであり得る。
【００７０】
制御モジュール３０は、オプションとして、外部ホストコンピュータに対するインタフェースを持つ。ホストコンピュータは、照明システムの設定を容易にするために用いられ得る。
【００７１】
図３においては、照明システムの他の例１０'が概略的に示されている。図１に示されている照明システムとの唯一の違いは、ベースモジュール１１が２つしか細長い平行電極１６．１及び１６．２を含まないことである。両電極１６は、電力を供給するために設けられているだけでなく、（図３には示されていない）制御モジュール３０によって生成される制御信号を送るのにも用いられる。電極が２つしか用いられないことから、制御信号を、照明モジュールにおいてこの信号を識別することができるようにして、送ることが必要である。当業界においては、幾つかの方法、例えば、情報を送るために変調信号を用いる電力線プロトコルが知られている。
【００７２】
照明システム１０の制御モジュールから照明モジュールに制御信号を送る他の可能性は、無線ＲＦ又は赤外線通信を使用するものである。更に、制御信号を送るための通信は、アナログ又はデジタルで行われ得ることに注意されたい。
【００７３】
照明モジュール（及び制御モジュール３０）は、ベースモジュール１１のデザインに応じて、２つしか電極コネクタ素子２６．１及び２６．２を含まない。
【００７４】
図４においては、照明システムの他の実施例が、概略的に示されており、参照符号１０"で示されている。前述のシステムとの唯一の違いは、電極１６のデザインである。ここでは、前述の実施例の細長い電極１６は、基板１２の長さに沿って均等に間隔を置いて配置される複数の短い電極セクションに分けられる。しかしながら、電極１６．１及び１６．２の全ての電極セクションは、各々、接続線１６'を介して電気的に接続される。しかしながら、前記接続線１６'は、基板１２の異なる層にある。
【００７５】
照明モジュール（及び制御モジュール）の電極コネクタ素子は、電極セクション１６．１及び１６．２のデザインに応じて、モジュール２０、３０の全長に沿って延在する細長いコネクタ線２６．１として設けられている。２つの隣接する電極セクション１６．１、１６．２の間の距離は、モジュール２０、３０の電極コネクタ素子２６との電気的接触が、基板の長手方向における位置に関係なく、確実にされるように、選択される。
【００７６】
図５においては、照明システムの他の実施例が概略的に示されている。前述の実施例とは対照的に、基板１２は、複数の電極対５１を担持し、各電極対５１は、同心状に配設される２つの円形又はリング状の電極線を有する。外側円形電極線は、符号５０で示されており、内側円形電極線は、符号５２で示されている。
【００７７】
図５においては、更に、各電極線５０、５２は、各々、電極１６．１及び電極１６．２と接続されることが概略的に示されている。両電極１６は異なる層に延在することから、電極線５０、５２と各々の電極１６．１、１６．２を接続する相互接続点５４が設けられる。
【００７８】
電極対５１は、基板１２における照明モジュール２０の回転する動きを可能にする。これは、照明モジュール２０の前面上の矢印によって図示されている。照明モジュール２０の背面には、２つの電極コネクタ素子２６．１、２６．２が設けられる。それらの互いまでの距離は、電極対の円形電極線の間の距離と同じである。したがって、電極コネクタ素子２６は、照明モジュール２０の角度位置に関係なく、各々の円形電極線５０、５２と常に接触する。
【００７９】
図６においては、２つ以上の基板１２が、接続線４８を介してそれらの電極１６を相互接続することによって、縦続接続され得ることが概略的に示されている。基板１２のこの縦続接続配置は、照明モジュール２０のマトリックス配置を可能にする。
【００８０】
図７においては、照明システムの他の実施例が示されている。前記実施例は、照明及び制御モジュール２０、３０の耐回転配置を備える拡張可能な照明システムである。左側部分は、５つの電極１６．１、１６．２及び１６．３を担持する基板１２を有するベースモジュール１１を示している。中央の電極１６．１は、グランド電位（ＧＮＤ）に外部接続される。その両方の隣接する電極１６．２は、互いに内部接続され、正の供給電圧によって外部供給される。残りの２つの外側の電極１６．３は、データ回線電極である。
【００８１】
右側には、複数の同じ構造の照明モジュール２０と、制御モジュール３０とが示されている。制御モジュール３０は、６つのピン状の電極コネクタ素子３６を有する。ベースモジュールに配置される場合、これらの電極コネクタ素子３６のうちの、基板１２における制御モジュール３０の変位角に依存する３つが、ベースモジュールの電極１６に接続される。素子１は、ＧＮＤに接続され、素子２は、正の供給電圧に接続されるであろう。
【００８２】
制御モジュールは、基準信号又は制御信号を生成し、前記基準信号又は制御信号は、制御モジュールの素子３を介して、ベースモジュールの外側の２つの電極に送られる。信号は、照明モジュール２０の調光を可能にする回転スイッチ３５を回転させることによって調節され得る。図７に示されている他の６つの照明モジュールの電極コネクタ素子２６は、ベースモジュールに配置される場合、各々、グランド、供給電圧及び基準信号に接続されるであろう。３つの電極１６．１乃至１６．３に加えられる電位は、照明素子、例えばＯＬＥＤを流れる電流を制御する照明モジュール２０の制御器に送られる。
【００８３】
図７においては、基板１２は、穴又は凹部５９として設けられ得る幾つかの位置決め素子５８を担持する位置決め素子は、基板の外側の長手方向領域に、用いられる照明及び制御モジュールのデザインに依存する所定パターンで配設される。
【００８４】
位置決め素子は、基板１２において照明又は制御モジュールの位置を決める役割を果たす。
【００８５】
この位置決め機能を達成するため、各照明及び制御モジュール２０、３０は、例えば凹部５９と係合するピン６１の形態の、対応位置決め素子を具備する。
【００８６】
図８においては、照明システムの他の実施例が示されている。基板１２は、３列に並べられ、電極セクション１６の下の異なる層にある各々の電極１６'に接続される（例えば電極点又はピンの形態の）複数の電極１６又は電極セクション１６を有する。
【００８７】
中央の電極セクション１６は、グランドを供給され、他の電極セクション１６は、供給電圧を供給される。制御及び照明モジュール２０、３０の電極コネクタ素子のこの特定パターンは、図８の下部に示されているようにモジュール２０、３０を９０°刻みで回転させることを可能にする。更に、基板１２の長手方向において各モジュール２０、３０の位置合わせを行うために位置決め素子５９及び６１が設けられる。
【００８８】
この実施例においては、中央の電極１６をデータ回線として使用し、外側の電極１６を供給ラインとして使用することも可能であろう。しかしながら、上述の実施例とは逆に、極性が照明モジュールの回転位置に依存することから、各照明モジュール２０は極性スイッチを含まなければならない。
【００８９】
上記ですでに述べたように、照明及び制御モジュール２０、３０は、それらを基板１２上の定位置に保持するのに用いられる保持部材を具備する。
【００９０】
このような保持部材を設計するための複数の異なる可能性があり、このような可能性のうちの３つは図９に示されている。
【００９１】
保持部材２８の１つの解決策は、照明又は制御モジュール２０、３０の背面に回動可能なクランプ６４を設けるものである。クランプ６４は、基板１２の背面と係合し、必要な固定を達成する。
【００９２】
更に示されている可能性は、既知のネジ接続部６６を用いるものである。
【００９３】
しかしながら、好ましい可能性のうちの１つは、制御及び照明モジュール２０、３０を適所で保持するために磁力を使用するものである。示されている図においては、基板は、基板の全長に沿って延在し得る磁気領域６９を有する。各照明及び制御モジュール２０、３０は、基板の磁気領域６９と協働するよう構成される少なくとも２つの磁石６８を有する。
【００９４】
上記を鑑みて、本発明によれば、照明モジュール及び制御モジュールが、照明システムのベースモジュールに自由に配置可能、且つ照明システムのベースモジュールから自由に取り外し可能であり得ることは明らかであり、このことは、設計自由度の増大を提供し、とりわけモジュールを自由に配置する可能性によって、照明システムの取り扱い及び操作を改善する。
【図１】
0005450098.tif 000002
【図２】
0005450098.tif 000003
【図３】
0005450098.tif 000004
【図４】
0005450098.tif 000005
【図５】
0005450098.tif 000006
【図６】
0005450098.tif 000007
【図７】
0005450098.tif 000008
【図８】
0005450098.tif 000009
【図９】
0005450098.tif 000010